(57)【要約】【課題】  本部が設計した店舗空間イメージのリアルタイムなコントロールを可能にすることができる音楽放送システムを提供すること。【解決手段】  店舗本部が設定したチャンネルを支部店舗に電子的に配信する音楽放送システムであって、各チャンネルは、複数のプレイリストからなっており、各プレイリストは、一定期間ごとに異なるように設定された楽曲情報の組から構成されており、前記チャンネルの種類及び数、並びに、前記プレイリストの種類及び数は、音楽事業者により決定されて、前記店舗本部に提供される、音楽放送システム。【選択図】図１
2011253168.tif 000002
【特許請求の範囲】
【請求項１】
店舗本部が設定したチャンネルを支部店舗に電子的に配信する音楽放送システムであって、
各チャンネルは、複数のプレイリストからなっており、
各プレイリストは、一定期間ごとに異なるように設定される楽曲情報の組から構成されており、
前記チャンネルの種類及び数、並びに、前記プレイリストの種類及び数は、音楽事業者により決定されて、前記店舗本部に提供される、音楽放送システム。
【請求項２】
前記楽曲情報を含む楽曲情報格納手段と、
前記プレイリストの情報を含むプレイリスト情報格納手段と、
前記チャンネルの情報を含むチャンネル情報格納手段と、
前記プレイリスト情報格納手段中のプレイリスト情報を参照して、前記楽曲情報格納手段中の楽曲情報を選択しチャンネル情報を決定するチャンネル情報決定手段と、を備える請求項１記載の音楽放送システム。
【請求項３】
前記店舗本部の情報を含む店舗本部情報格納手段と、
前記支部店舗の情報を含む支部店舗情報格納手段と、
前記店舗本部情報格納手段中の店舗本部情報に従って前記チャンネル情報が選択され、前記支部店舗情報格納手段中の支部店舗情報に従って、選択されたチャンネル情報を支部店舗に送信する選択・送信手段と、を備える請求項１又は２記載の音楽放送システム。
【発明の詳細な説明】
【技術分野】
【０００１】  本発明は、音楽放送システムに関する。
【背景技術】
【０００２】  店舗で流す音楽放送は、あらかじめ音楽放送事業者によって定められたチャンネルの選択肢が店舗側に与えられ、それを店舗側が選んで放送するものである。このシステムの典型例は、有線放送である。【０００３】  一方、利用者側からのリクエスト情報をデジタル伝送システムで送信するシステムも種々検討されている（例えば、特許文献１）。
【先行技術文献】
【特許文献】
【０００４】
【特許文献１】特開昭６１−２８１６３３号公報
【発明の概要】
【発明が解決しようとする課題】
【０００５】  しかしながら、特に大規模チェーン店においては、事業者と店舗との間に店舗を管理する本部機能があるが、店内で放映する音楽放送の内容を本部でシステム的に管理する方法がなく、本部が事業者との間で音楽放送内容を取り決めた後、音楽放送事業者が取り決めた選択肢の音楽内容を店舗側へ提供することしかできなかった。【０００６】  このため、本部側での意思決定が迅速に店舗へ反映されなかったり、事業者が提供する選択肢が合っているかをその場で確認する方法がなく、結果として本部側で設定した音楽と店舗側で実際に放送する音楽にギャップが生まれてしまうことが起こりえる状態が解消できずにいた。【０００７】  そこで、本発明の目的は、本部が設計した店舗空間イメージのリアルタイムなコントロールを可能にすることができる音楽放送システムを提供することにある。
【課題を解決するための手段】
【０００８】  本発明は、店舗本部が設定したチャンネルを支部店舗に電子的に配信する音楽放送システムであって、
各チャンネルは、複数のプレイリストからなっており、
各プレイリストは、一定期間ごとに異なるように設定される楽曲情報の組から構成されており、
前記チャンネルの種類及び数、並びに、前記プレイリストの種類及び数は、音楽事業者により決定されて、前記店舗本部に提供される、音楽放送システムを提供する。【０００９】  本発明の音楽放送システムは、前記楽曲情報を含む楽曲情報格納手段と、
前記プレイリストの情報を含むプレイリスト情報格納手段と、
前記チャンネルの情報を含むチャンネル情報格納手段と、
前記プレイリスト情報格納手段中のプレイリスト情報を参照して、前記楽曲情報格納手段中の楽曲情報を選択しチャンネル情報を決定するチャンネル情報決定手段と、を備えるように構成できる。【００１０】  本発明の音楽放送システムはまた、前記店舗本部の情報を含む店舗本部情報格納手段と、
前記支部店舗の情報を含む支部店舗情報格納手段と、
前記店舗本部情報格納手段中の店舗本部情報に従って前記チャンネル情報が選択され、前記支部店舗情報格納手段中の支部店舗情報に従って、選択されたチャンネル情報を支部店舗に送信する選択・送信手段と、を備えるように構成できる。
【発明の効果】
【００１１】  音楽の選択肢を提供する事業者と音楽の選択肢から選ぶ店舗との間に、音楽の選択肢の範囲を変更することのできる本部管理機能を本部へ提供することにより、本部が設計した店舗空間イメージのリアルタイムなコントロールを可能にすることができる。
【図面の簡単な説明】
【００１２】
【図１】  実施形態に係る音楽放送システムを説明するための図である。
【発明を実施するための形態】
【００１３】  本発明は、店舗本部が設定したチャンネルを支部店舗に電子的に配信する音楽放送システムであって、各チャンネルは、複数のプレイリストからなっており、各プレイリストは、一定期間ごとに異なるように設定される楽曲情報の組から構成されており、前記チャンネルの種類及び数、並びに、前記プレイリストの種類及び数は、音楽事業者により決定されて、前記店舗本部に提供される、音楽放送システムを提供する。
【００１４】  本発明によれば、本部管理者ごとに店舗情報を登録し当該店舗情報を業態等の店舗グループで分類することができ、店舗グループ毎に各店舗で放送するチャンネルを設定し、本部管理者にて各店舗で使用するチャンネルを複数設定する手段を提供できる。
【００１５】（店舗のグループ管理）
本部管理者は、複数の店舗情報を店舗グループにまとめることで、本部管理者が各店舗で使用するチャンネルを店舗グループに設定し、当該店舗グループに従属する全ての店舗に対して一度にまとめてチャンネルを設定するなどの一元管理が可能となる。店舗グループの設定は、本部管理機能が提供する店舗グループ管理機能（１０）にて店舗グループ情報の登録と、及び、店舗グループで使用するチャンネルを追加・削除・並び替えることができる。そして、店舗側の音楽放送プレイヤーでは、店舗グループに所属している以上、チャンネルの追加・削除・並び替えといった変更は店舗側で勝手に行うことはできないようにすることが可能である。
【００１６】  複数の店舗情報を店舗グループにまとめて管理する方法は、本部管理者にのみ提供されている本部管理機能を使用する。本部管理機能では、店舗グループを登録・変更・削除することができ、また、店舗情報の登録・変更時に当該店舗が所属する店舗グループをリストの中から指定することができる（１１）。そして、チャンネル情報に登録してあるチャンネルの中から店舗グループで放送するチャンネルを店舗グループ・チャンネル関連情報に登録するユーザーインターフェースを提供する（１２）。
【００１７】（個々の店舗の独自チャンネル設定）
当該店舗を店舗グループに所属しない設定とした場合は、個々の店舗が使用するチャンネルを店舗が独自に設定することが可能となる。独自に設定したチャンネルは、店舗毎に記録される店舗チャンネル設定情報に登録される。これにより、一度個々の店舗で独自にチャンネルを設定した後に、当該店舗を店舗グループに所属させ店舗グループのチャンネル設定に従属するように設定を行い、店舗グループに所属しないように再度設定すると、前回、当該店舗で独自に設定していたチャンネルを復元することができる。
【００１８】  店舗が独自にチャンネル設定する方法は、音楽放送システムが店舗側に提供する音楽放送プレイヤーで操作することができる。音楽放送プレイヤーは、起動時にＩＤ／パスワードにて店舗の認証を行い音楽再生端末および音楽放送プレイヤーと店舗情報の照合を行う（２０）。
【００１９】  店舗グループ情報との関連付けを管理する店舗・店舗グループ関連情報に当該店舗情報に関する関連情報が存在しない場合、音楽放送プレイヤーはチャンネルを追加・削除することができるユーザーインターフェースを提供する（２１）。
【００２０】（プレイリスト）
月毎にチャンネルで再生する楽曲を予め登録しておくことで、楽曲の入れ替えを自動化することができる。チャンネルには、再生する楽曲の一覧をプレイリスト情報として月毎に格納しており、音楽放送プレイヤーは、定期的にチャンネルが翌月に再生するプレイリストを取得し予めキャッシュしておくことでチャンネルの楽曲入れ替えをスムーズかつ自動的に行うことができる。
【００２１】  事業者管理機能では、チャンネルの作成・編集・削除と、チャンネルで再生する楽曲の一覧情報をプレイリスト情報として月毎に登録することができる（３０）。次月以降は、プレイリスト情報の内容が異なる場合のみ登録しておけばよい。
【００２２】（キャッシュ再生）
音楽放送プレイヤーは、店舗業務に影響の無いレベルで楽曲再生および楽曲入替えがスムーズに行えるよう、楽曲情報、プレイリスト情報、チャンネル情報をチャンネル・プレイリスト・楽曲情報取得手段（４１）によって音楽放送プレイヤーの保存領域に一時的に保持する（４０）。
【００２３】  チャンネルの多様性と数を拡大させるために、楽曲情報、プレイリスト情報及びチャンネル情報の格納手段（データベース）を、音楽事業者とコラボレーション可能な外部機関（例えば、ＤＪなどの外部の音楽専門家）に開放し、外部機関にプレイリストやチャンネルを作成させることもできる。また、作成されたプレイリストやチャンネルの利用状況に応じて、外部機関に音楽事業の収益を分配することにより、インセンティブを与え、加速度的にチャンネルの多様性と数を拡大させることが可能になる。
【００２４】  さらに、音楽事業者や店舗本部のウェブサイトの情報や、店舗に設置したモニターにおける情報（例えばＱＲコード）を取得することにより、音楽事業者が用意するチャンネルに応じた楽曲の有料配信機能にアクセスさせることが可能になり、店舗を訪れた顧客が、楽曲のダウンロードをすることが可能になる。
【図１】
2011253168.tif 000003